(57)【要約】【課題】転倒した時の打撲や落石による強打等の外力を身体に受けた時に身体（主に胴等）への衝撃を少なくし且つ傷つくのを防ぎ、また、万が一暴漢等に凶器で襲われても確実に身体（主に胴等）へのダメージを防ぐことができるものを提供することをその課題としている。【解決手段】少なくとも衣服の前身頃２と後身頃３にポリカーボネート（PolyCarbonate：略称ＰＣ）板４またはアクリル(メチルメタアクリレート「Methyl methacrylate：略称MMA」)板を設けた。【選択図】  図２
0003129926.tif 000002
【実用新案登録請求の範囲】
【請求項１】
少なくとも衣服の前身頃と後身頃にポリカーボネート（PolyCarbonate：略称ＰＣ）板またはアクリル(メチルメタアクリレート「Methyl methacrylate：略称MMA」)板を設けたことをを特徴とするケガ防止用衣服    。
【請求項２】
衣服がチョッキ（ベスト）であることを特徴とする請求項１記載のケガ防止用衣服。
【請求項３】
前身頃と後身頃は、それぞれポリカーボネート（PolyCarbonate：略称ＰＣ）板またはアクリル(メチルメタアクリレート「Methyl methacrylate：略称MMA」)板で形成したことを特徴とする請求項１または２記載のケガ防止用衣服。
【請求項４】
種々の生地で形成された衣服の前身頃並びに後身頃の裏面側にポリカーボネート（PolyCarbonate：略称ＰＣ）板またはアクリル(メチルメタアクリレート「Methyl methacrylate：略称MMA」)板を設けたことを特徴とする請求項１または３記載のケガ防止用衣服。
【請求項５】
ポリカーボネート（PolyCarbonate：略称ＰＣ）板またはアクリル(メチルメタアクリレート「Methyl methacrylate：略称MMA」)板に通気孔を設けたことを特徴とする請求項１，２，３または４記載のケガ防止用衣服。
【考案の詳細な説明】
【技術分野】
【０００１】
本考案は、転倒や衝突した時の強打や落石等の外力から身を守るケガ防止用衣服に関するものである。
【背景技術】
【０００２】
一般にコンクリート、アスファルト、石等の硬質材で形成された道路、或いは硬質タイル等で仕上げられた建物内の通路等では、段差のある箇所が多々あり、気をつけていても足を引っ掛けてバランスを崩し転倒しケガをしまう懸念が老若男女を問わずにある。また上記の道路や通路では少し濡れていたりすると足を滑らせて転倒することがあり、転倒した際には胸や背中等を強打して大ケガをしてしまう懸念が大である。さらに、二輪車で走行中に転倒したり衝突したりして胸や背中等を強打することが多々あり、また、山間部を歩行中等に落石によっても大ケガをしたり死亡したりする懸念がある。
【０００３】
さらに、最近は治安の悪化により変質者や凶悪者による犯罪が多発しているのが現状であり、いくら自分で注意していても外出先等で不意に変質者等に襲われることも無きにしも非ずであり、常日ごろから自分の身は自分で守るをモットーに安全対策を立てておかなければならない世の中になって来ている。
【考案の開示】
【考案が解決しようとする課題】
【０００４】
本考案は上記したような点に鑑みて開発したものであり、転倒や衝突した時の強打や落石等の外力を身体に受けた時に身体（主に胴等）への衝撃を少なくし且つ傷つくのを防ぎ、また、万が一暴漢等に凶器で襲われても確実に身体（主に胴等）へのダメージを防ぐことができるものを提供することをその課題としている。
【課題を解決するための手段】
【０００５】
上記課題を解決するために、本考案の第１のケガ防止用衣服は、少なくとも衣服の前身頃と後身頃にポリカーボネート（PolyCarbonate：略称ＰＣ）板またはアクリル(メチルメタアクリレート「Methyl methacrylate：略称MMA」)板を設けたことをを特徴とする構成にしてある。
【０００６】
本考案の第２のケガ防止用衣服は、第１のケガ防止用衣服において、衣服がチョッキ（ベスト）であることを特徴とする構成にしてある。
【０００７】
本考案の第３のケガ防止用衣服は、第１または第２のケガ防止用衣服において、前身頃と後身頃は、それぞれポリカーボネート（PolyCarbonate：略称ＰＣ）板またはアクリル(メチルメタアクリレート「Methyl methacrylate：略称MMA」)板で形成したことを特徴とする構成にしてある。
【０００８】
本考案の第４のケガ防止用衣服は、第１または第３のケガ防止用衣服において、種々の生地で形成された衣服の前身頃並びに後身頃の裏面側にポリカーボネート（PolyCarbonate：略称ＰＣ）板またはアクリル(メチルメタアクリレート「Methyl methacrylate：略称MMA」)板を設けたことを特徴とする構成にしてある。
【０００９】
本考案の第５のケガ防止用衣服は、第１、第２、第３または第４のケガ防止用衣服において、ポリカーボネート（PolyCarbonate：略称ＰＣ）板またはアクリル(メチルメタアクリレート「Methyl methacrylate：略称MMA」)板に通気孔を設けたことを特徴とする構成にしてある。
【考案の効果】
【００１０】
本考案の第１のケガ防止用衣服は、少なくとも衣服の前身頃と後身頃にポリカーボネート板またはアクリル板を設けたものであるので、衝突したり落石が当たったり転倒して胸、背中等を打ってもケガから身を守ることができる。また、万が一暴漢に凶器で襲われても身体（胸、腹、背中等）を傷つけられるのを確実に防止でき、この衣服を着用することによって安心して外出することができる。
【００１１】
本考案の第２のケガ防止用衣服は、衣服がチョッキ（ベスト）であるので、上着の上から着たり或いは上着の下に着込むこともでき、手軽に着用して胴に対する外力から身を守ることができる。
【００１２】
本考案の第３のケガ防止用衣服は、前身頃と後身頃をポリカーボネート板またはアクリル板で形成してあるので、転倒した際に胸や背中を強打してもケガをすることなく身を守ることができる。
【００１３】
本考案の第４のケガ防止用衣服は、衣服の前身頃並びに後身頃の裏面側にポリカーボネート板またはアクリル板を設けてあるので、この衣服を着用しても外からはポリカーボネート板またはアクリル板が見えず、ファッション性を損なうこともなく安全性に富んだ衣服として着用することができる。
【００１４】
本考案の第５のケガ防止用衣服は、ＰＣ板またはMMA板に通気孔を設けたことによって、夏等の気温の高い日に着用した場合にも通気性が良くて蒸れることもなく、快適に着用していることができる。
【考案を実施するための最良の形態】
【００１５】
以下、添付の図面と共に、本考案の最良の実施形態について説明する。
図１（Ａ）は第１実施例のケガ防止用衣服に使用される前身頃並びに後身頃の形状に形成したポリカーボネート板またはアクリル板の斜視図であり、図１（Ｂ）は前身頃並びに後身頃がポリカーボネート板またはアクリル板で形成されているケガ防止用衣服の斜視図であり、図２は図１に示すポリカーボネート板またはアクリル板を使用したケガ防止用衣服（チョッキ）の説明図であり、図３は第２実施例のケガ防止用衣服（チョッキ）の説明図であり、図４は第３実施例のケガ防止用衣服（セーター）の説明図であり、図５は第４実施例のケガ防止用衣服（工事現場用の安全チョッキ）の説明図である。
【００１６】
図１（Ａ），図２に示す本考案に係る第１実施例のケガ防止用衣服１は、チョッキ（ベスト）であって、このチョッキの前身頃２並びに後身頃３の形状にほぼ合致する形状に形成すると共に胸や背中に沿うように湾曲形成した耐衝撃性に優れるポリカーボネート（PolyCarbonate：略称ＰＣ）板４（またはアクリル(メチルメタアクリレート「Methyl methacrylate：略称MMA」)板、ここではＰＣ板４を例示して以下に説明する。）を使用している。ＰＣ板４の厚さは２ｍｍ、３ｍｍまたは６ｍｍにしてある。勿論、衝撃によって破損することのない厚さであれば、上記以外の厚さであってもよい。この第１実施例のケガ防止用衣服１では、前身頃２と後身頃３のそれぞれの表地と裏地の間にＰＣ板４を配し表地と裏地の周辺部を縫着して形成してある。この第１実施例のケガ防止用衣服１をセーター等の上着の中（内側）または上着の上から着用することにより、例えば外出中に階段や道路等で何らかの要因で身体のバランスを崩して転倒し胸や背中を強打しても、ＰＣ板４がその時の衝撃を防いで身体へのダメージを軽減し、傷ついたり内臓等を痛めたりするのを確実に防止することができる。さらに、変質者等に前から或いは後から凶器で襲われても第１実施例のケガ防止用衣服１の前後に設けたＰＣ板４によって凶器による身体へのダメージを確実に防止することができ、安心して外出することができる。
【００１７】
次に第２実施例のケガ防止用衣服１（図３）は、第１実施例と異なる形状の前開きのチョッキであり、上記した第１実施例と同様に前身頃２と後身頃３の箇所にＰＣ板４を設けてある。この第２実施例のケガ防止用衣服１では前開きであるので、前身頃２側には２つの分離したＰＣ板４が使用されている。この第２実施例のケガ防止用衣服１は前開きであるので、着用する場合にも容易に着用することができ、また脱ぐ場合も同様である。作用・効果は第１実施例と同様であり説明を省略する。
【００１８】
次に第３実施例のケガ防止用衣服１（図４）は、セーターであり、第１実施例と同様に前身頃２と後身頃３の箇所にＰＣ板４を設けてあり、さらに両腕部５の箇所にも関節６の位置する箇所を避けて半割り筒状に湾曲形成したＰＣ板４ａ、４ｂを腕部５の上部５ａと下部５ｂの前面側と背面側にそれぞれ設けてある。この第３実施例のケガ防止用衣服１では、前身頃２と後身頃３と共に両腕部５にもＰＣ板４、４ａ、４ｂを設けてあるので、着用した場合に身体のより多くの部位を外力から守ることができる。
【００１９】
次に第４実施例のケガ防止用衣服１（図５）は、工事現場等で使用するような安全チョッキであり、第２実施例と同様に前身頃２と後身頃３の箇所にＰＣ板４を設けてある。作用・効果は、上記した第１実施例、第２実施例と同様であり説明を省略する。
【００２０】
なお、図１（Ｂ）に示す本考案のケガ防止用衣服１は、前身頃２と後身頃３をＰＣ板またはMMA板で形成したものである。この場合、太っている人や痩せている人など着用する人の体型に合わせられるように、ＰＣ板またはMMA板で形成された前身頃２と後身頃３の両肩の部分と、両脇の部分には、それぞれマジックテープ（登録商標）７が設けられていて、このテープ７を介して前身頃２と後身頃３の上記した各部分を接続することにより、着用するいろいろな体型の人に簡単に合わせて容易に着用させることができる。また、本考案のケガ防止用衣服１においては、上記したＰＣ板またはMMA板で形成された前身頃２と後身頃３とが、両脇の部分、及び両肩の部分で重なり合って上記のテープ７で接続するものでもよく、さらには、上記のＰＣ板またはMMA板で形成された前身頃２と後身頃３との片脇側が蝶番等の連結具で連結され、もう一方の片脇側で、上記したテープ７、または前身頃２と後身頃３との脇部に一端部を固定した紐で接続するようにしたものであってもよい。勿論、上記のＣ板またはMMA板で形成された前身頃２と後身頃３の接続部を全て一端を前身頃２、後身頃３に固定した紐で結んで接続するようにしてもよく、また、ボタン、ホック等の接続具を介して前身頃２と後身頃３を接続するようにしてもよい。
【００２１】
また、本考案のケガ防止用衣服は、前身頃２と後身頃３のＰＣ板またはMMA板に単数または複数の通気孔を設けたものであってもよい。ＰＣ板またはMMA板に通気孔を設けることによって、夏等の気温の高い日に着用した場合にも通気性が良くて蒸れることもなく、快適に着用していることができる。勿論、通気孔は、その大きさ、形状、数、配置は特に限定されるものではなく適宜に取り決めて身頃２と後身頃３のＰＣ板または／およびMMA板に設ければよい。
【００２２】
また、本考案のケガ防止用衣服に使用するＰＣ板またはMMA板の色は、赤色、黄色、白色、青色等、所望の色にすればよい。
【００２３】
勿論、本考案のケガ防止用衣服は、種々の生地で形成した衣服の前身頃並びに後身頃の外側及び／又は内側にＰＣ板またはMMA板を設けたものであってもよい。
【図面の簡単な説明】
【００２４】
【図１】（Ａ）は第１実施例のケガ防止用衣服に使用される前身頃並びに後身頃の形状に形成したポリカーボネート板またはアクリル板の斜視図であり、（Ｂ）は前身頃並びに後身頃がポリカーボネート板またはアクリル板で形成されているケガ防止用衣服の斜視図である。
【図２】図１に示すポリカーボネート板またはアクリル板を使用したケガ防止用衣服（チョッキ）の説明図である。
【図３】本考案の第２実施例のケガ防止用衣服（チョッキ）の説明図である。
【図４】本考案の第３実施例のケガ防止用衣服（セーター）の説明図である。
【図５】本考案の第４実施例のケガ防止用衣服（工事現場用の安全チョッキ）の説明図である。
【符号の説明】
【００２５】
１    ケガ防止用衣服
２    前身頃
３    後身頃
４    ポリカーボネート板又はアクリル板
【図１】
0003129926.tif 000003
【図２】
0003129926.tif 000004
【図３】
0003129926.tif 000005
【図４】
0003129926.tif 000006
【図５】
0003129926.tif 000007